(57)【要約】【課題】内部導体を安定して設けることができる電子部品を提供することを目的とする。【解決手段】矩形状の絶縁シート１３ａの短手側の端辺１８に設けられた引出電極１４ａと、絶縁シート１３ａの第１面に設けられ引出電極１４ａに接続された１本または２本の内部導体１５ａ，１５ｂと、絶縁シート１３ａの第１面の略中央部においてその配列方向が絶縁シート１３ａの短手側の端辺１８と垂直となるように設けられかつ一定間隔で離間する２個のバイア電極１１，１２と、引出電極１４ａが設けられた絶縁シート１３ａの短手側の端辺１８と対向する位置に形成されかつ絶縁シート１３ａの第２面に設けられ２個のバイア電極１１，１２を介してそれぞれ内部導体１５ａ，１５ｂと接続された他の引出電極１４ｃとを備えた。【選択図】  図１
2004235401.tif 000002
【特許請求の範囲】
【請求項１】
矩形状の絶縁シートの短手側の端辺に設けられた引出電極と、前記絶縁シートの第１面に設けられ前記引出電極に接続された１本または２本の内部導体と、前記絶縁シートの第１面の略中央部においてその配列方向が前記絶縁シートの短手側の端辺と垂直となるように設けられかつ一定間隔で離間する２個のバイア電極と、前記引出電極が設けられた前記絶縁シートの短手側の端辺と対向する位置に形成されかつ前記絶縁シートの第２面に設けられ前記２個のバイア電極を介してそれぞれ前記内部導体と接続された他の引出電極とを備えた電子部品。
【請求項２】
一定間隔で離間する２個のバイア電極を略中央部に設けた矩形状の第１の絶縁シートと、前記２個のバイア電極と前記第１の絶縁シートの端辺との間のスペースに少なくとも一部が位置するように前記第１の絶縁シートの上面に設けられ、かつ一端部が第１の引出電極に接続され、他端部が前記２個のバイア電極の他方を介して第３の引出電極に接続された第１の内部導体と、１個のバイア電極を有する矩形状の第２の絶縁シートと、前記１個のバイア電極と第２の絶縁シートの端辺との間のスペースに少なくとも一部が位置するように前記第２の絶縁シートの上面に設けられ、かつ一端部が第２の引出電極に接続され、他端部が前記１個のバイア電極および２個のバイア電極の一方を介して第４の引出電極に接続された第２の内部導体とを有し、前記第１、第２、第３、第４の引出電極を前記第１の絶縁シートおよび第２の絶縁シートの短手側の端辺に設けるとともに、前記２個のバイア電極は、配列方向が前記第１の絶縁シートの短手側の端辺と垂直になるように構成した電子部品。
【請求項３】
一定間隔で離間する２個のバイア電極を略中央部に設けた矩形状の第１の絶縁シートと、前記２個のバイア電極と前記第１の絶縁シートの端辺との間のスペースに少なくとも一部が位置するように前記第１の絶縁シートの上面に設けられた第１、第２の内部導体と、前記第１の内部導体の一端部と接続され前記第１の絶縁シートの上面に設けられた第１の引出電極と、前記第２の内部導体の一端部と接続され前記第１の絶縁シートの上面に設けられた第２の引出電極と、前記第１の内部導体の他端部と前記２個のバイア電極の一方を介して接続された第３の引出電極と、前記第２の内部導体の他端部と前記２個のバイア電極の他方を介して接続された第４の引出電極と、前記第３、第４の引出電極の下面に設けられた矩形状の第２の絶縁シートとを有し、前記第１、第２、第３、第４の引出電極を前記第１の絶縁シートおよび第２の絶縁シートの短手側の端辺に設けるとともに、前記２個のバイア電極は、配列方向が前記第１の絶縁シートの短手側の端辺と垂直になるように構成した電子部品。
【発明の詳細な説明】
【０００１】
【発明の属する技術分野】
本発明は、各種電子機器に使用される電子部品に関するものである。
【０００２】
【従来の技術】
図４（ａ）は従来の電子部品の斜視図、図４（ｂ）は同電子部品の分解斜視図である。
【０００３】
従来の電子部品は、図４（ｂ）に示すように、一定間隔で離間する２個のバイア電極１，２を略中央部に設けた矩形状の第１の絶縁シート３ａと、前記２個のバイア電極１，２と第１の絶縁シート３ａの端辺との間のスペースに少なくとも一部が位置するように前記第１の絶縁シート３ａの上面に設けられ、かつ一端部が第１の引出電極４ａに接続され、他端部が前記２個のバイア電極１，２の一方１を介して第３の引出電極４ｃに接続された第１の内部導体５ａと、１個のバイア電極６を有する矩形状の第２の絶縁シート３ｂと、前記１個のバイア電極６と第２の絶縁シート３ｂの端辺との間のスペースに少なくとも一部が位置するように前記第２の絶縁シート３ｂの上面に設けられ、かつ一端部が第２の引出電極４ｂに接続され、他端部が前記１個のバイア電極６、２個のバイア電極１，２の他方２を介して第４の引出電極４ｄに接続された第２の内部導体５ｂとを備え、そして前記第１の絶縁シート３ａの下方と、第２の絶縁シート３ｂの上方に、第３、第４の引出電極４ｃ，４ｄの信頼性と第２の内部導体５ｂの信頼性を確保するためにダミー絶縁シート３ｃ，３ｄを設け、これらを積層して一体化することにより図４（ａ）に示すような電子部品本体７を構成していた。この場合、前記第３、第４の引出電極４ｃ，４ｄは第１の絶縁シート３ａの下面に設けているもので、この第３、第４の引出電極４ｃ，４ｄおよび前記第１、第２の引出電極４ａ，４ｂは、図４（ｂ）に示すように、第１の絶縁シート３ａおよび第２の絶縁シート３ｂの長手側の端辺８に設け、さらに前記２個のバイア電極１，２は、配列方向が前記第１の絶縁シート３ａの長手側の端辺８と平行になるように構成していた。
【０００４】
また、図４（ａ）において、９ａ，９ｂ，９ｃ，９ｄは電子部品本体７の相対向する長手側の両端面に形成された第１、第２、第３、第４の外部電極で、これらは前記第１、第２、第３、第４の引出電極４ａ，４ｂ，４ｃ，４ｄにそれぞれ接続されているものである。
【０００５】
なお、この出願の発明に関連する先行技術文献情報としては、例えば、特許文献１が知られている。
【０００６】
【特許文献１】
特開平８−２０３７３７号公報
【０００７】
【発明が解決しようとする課題】
上記した従来の電子部品は、第１の内部導体５ａを安定して設けることが困難であるという課題を有していた。
【０００８】
すなわち、従来の電子部品においては、第１の引出電極４ａ、第２の引出電極４ｂ、第３の引出電極４ｃ、第４の引出電極４ｄを第１の絶縁シート３ａおよび第２の絶縁シート３ｂの長手側の端辺８に設けるとともに、２個のバイア電極１，２の配列方向が前記第１の絶縁シート３ａの長手側の端辺８と平行になるように構成しているため、例えば、この電子部品を取り付ける電子機器との関係から、第１の引出電極４ａ、第２の引出電極４ｂ、第３の引出電極４ｃ、第４の引出電極４ｄの引き出し方向を、２個のバイア電極１，２間の間隔を従来と同じ長さにして、第１、第２の絶縁シート３ａ，３ｂの短手側の端辺１０に変えようとした場合、２個のバイア電極１，２も、図５に示すように、その配列方向が第１の絶縁シート３ａの短手側の端辺１０と平行になるように配列しなければならず、その結果、２個のバイア電極１，２と第１の絶縁シート３ａの長手側の端辺８との最短距離Ｌは短くなるため、この短くなったスペースに第１の内部導体５ａを形成しようとすると、第１の内部導体５ａ同士が接触したり、第１の内部導体５ａがバイア電極１，２内や第１の絶縁シート３ａの外に形成されたりしてしまうという可能性を有するものであった。
【０００９】
なお、説明を簡単にするために、図５では第１の内部導体５ａを省略している。
【００１０】
本発明は上記従来の課題を解決するもので、内部導体を安定して設けることができる電子部品を提供することを目的とするものである。
【００１１】
【課題を解決するための手段】
上記目的を達成するために、本発明は以下の構成を有するものである。
【００１２】
本発明は請求項１に記載の発明は、矩形状の絶縁シートの短手側の端辺に設けられた引出電極と、前記絶縁シートの第１面に設けられ前記引出電極に接続された１本または２本の内部導体と、前記絶縁シートの第１面の略中央部においてその配列方向が前記絶縁シートの短手側の端辺と垂直となるように設けられかつ一定間隔で離間する２個のバイア電極と、前記引出電極が設けられた前記絶縁シートの短手側の端辺と対向する位置に形成されかつ前記絶縁シートの第２面に設けられ前記２個のバイア電極を介してそれぞれ前記内部導体と接続された他の引出電極とを備えたもので、この構成によれば、引出電極を絶縁シートの短手側の端辺に設けるとともに、２個のバイア電極は、配列方向が第１の絶縁シートの短手側の端辺と垂直になるように構成しているため、矩形状の絶縁シートの短手側の端辺と平行になるように２個のバイア電極が配列されるものに比べ、２個のバイア電極と絶縁シートの長手側の端辺との間の最短距離を長くすることができ、これにより、２個のバイア電極と絶縁シートの長手側の端辺との間のスペースに内部導体を形成しようとしたとき、内部導体同士が接触したり、内部導体が２個のバイア電極内や絶縁シートの外に形成されたりするのを容易に防止することができるため、内部導体を安定して設けることができるという作用効果が得られる。
【００１３】
本発明の請求項２に記載の発明は、一定間隔で離間する２個のバイア電極を略中央部に設けた矩形状の第１の絶縁シートと、前記２個のバイア電極と前記第１の絶縁シートの端辺との間のスペースに少なくとも一部が位置するように前記第１の絶縁シートの上面に設けられ、かつ一端部が第１の引出電極に接続され、他端部が前記２個のバイア電極の他方を介して第３の引出電極に接続された第１の内部導体と、１個のバイア電極を有する矩形状の第２の絶縁シートと、前記１個のバイア電極と第２の絶縁シートの端辺との間のスペースに少なくとも一部が位置するように前記第２の絶縁シートの上面に設けられ、かつ一端部が前記１個のバイア電極および２個のバイア電極の一方を介して第４の引出電極に接続され、他端部が第２の引出電極に接続された第２の内部導体とを有し、前記第１、第２、第３、第４の引出電極を前記第１の絶縁シートおよび第２の絶縁シートの短手側の端辺に設けるとともに、前記２個のバイア電極は、配列方向が前記第１の絶縁シートの短手側の端辺と垂直になるように構成したもので、この構成によれば、第１、第２、第３、第４の引出電極を第１の絶縁シートおよび第２の絶縁シートの短手側の端辺に設けるとともに、２個のバイア電極は、配列方向が前記第１の絶縁シートの短手側の端辺と垂直になるように構成しているため、矩形状の第１の絶縁シートの短手側の端辺と平行になるように２個のバイア電極が配列されるものに比べ、２個のバイア電極と第１の絶縁シートの長手側の端辺との間の最短距離を長くすることができ、これにより、２個のバイア電極と第１の絶縁シートの長手側の端辺との間のスペースに第１の内部導体を形成しようとしたとき、第１の内部導体同士が接触したり、第１の内部導体が２個のバイア電極内や第１の絶縁シートの外に形成されたりするのを容易に防止することができるため、第１の内部導体を安定して設けることができるという作用効果が得られる。さらに、第１の絶縁シートの端辺を基準にバイア電極を設ければ、バイア電極の形成が容易になるため、生産性を向上させることができるという作用効果も得られるものである。
【００１４】
本発明の請求項３に記載の発明は、一定間隔で離間する２個のバイア電極を略中央部に設けた矩形状の第１の絶縁シートと、前記２個のバイア電極と前記第１の絶縁シートの端辺との間のスペースに少なくとも一部が位置するように前記第１の絶縁シートの上面に設けられた第１、第２の内部導体と、前記第１の内部導体の一端部と接続され前記第１の絶縁シートの上面に設けられた第１の引出電極と、前記第２の内部導体の一端部と接続され前記第１の絶縁シートの上面に設けられた第２の引出電極と、前記第１の内部導体の他端部と前記２個のバイア電極の一方を介して接続された第３の引出電極と、前記第２の内部導体の他端部と前記２個のバイア電極の他方を介して接続された第４の引出電極と、前記第３、第４の引出電極の下面に設けられた矩形状の第２の絶縁シートとを有し、前記第１、第２、第３、第４の引出電極を前記第１の絶縁シートおよび第２の絶縁シートの短手側の端辺に設けるとともに、前記２個のバイア電極は、配列方向が前記第１の絶縁シートの短手側の端辺と垂直になるように構成したもので、この構成によれば、第１、第２、第３、第４の引出電極を第１の絶縁シートおよび第２の絶縁シートの短手側の端辺に設けるとともに、２個のバイア電極は、配列方向が第１の絶縁シートの短手側の端辺と垂直になるように構成しているため、矩形状の第１の絶縁シートの短手側の端辺と平行になるように２個のバイア電極が配列されるものに比べ、２個のバイア電極と第１の絶縁シートの長手側の端辺との間の最短距離を長くすることができ、これにより、２個のバイア電極と第１の絶縁シートの長手側の端辺との間のスペースに第１、第２の内部導体を形成しようとしたとき、第１、第２の内部導体同士が接触したり、第１、第２の内部導体が２個のバイア電極内や第１の絶縁シートの外に形成されたりするのを容易に防止することができるため、第１、第２の内部導体を安定して設けることができるという作用効果が得られる。
【００１５】
【発明の実施の形態】
図１（ａ）は本発明の一実施の形態における電子部品の斜視図、図１（ｂ）は同電子部品の分解斜視図である。
【００１６】
本発明の一実施の形態における電子部品は、図１（ｂ）に示すように、一定間隔で離間する２個のバイア電極１１，１２を略中央部に設けた矩形状の第１の絶縁シート１３ａと、前記２個のバイア電極１１，１２と第１の絶縁シート１３ａの端辺との間のスペースに少なくとも一部が位置するように前記第１の絶縁シート１３ａの上面に設けられ、かつ一端部が第１の引出電極１４ａに接続され、他端部が前記２個のバイア電極１１，１２の他方１２を介して第３の引出電極１４ｃに接続された第１の内部導体１５ａと、１個のバイア電極１６を有する矩形状の第２の絶縁シート１３ｂと、前記１個のバイア電極１６と第２の絶縁シート１３ｂの端辺との間のスペースに少なくとも一部が位置するように前記第２の絶縁シート１３ｂの上面に設けられ、かつ一端部が第２の引出電極１４ｂに接続され、他端部が前記１個のバイア電極１６、２個のバイア電極１１，１２の一方１１を介して第４の引出電極１４ｄに接続された第２の内部導体１５ｂとを備え、そして前記第１の絶縁シート１３ａの下方と、第２の絶縁シート１３ｂの上方に、第３、第４の引出電極１４ｃ，１４ｄの信頼性と第２の内部導体１５ｂの信頼性を確保するためにダミー絶縁シート１３ｃ，１３ｄを設け、これらを積層して一体化することにより図１（ａ）に示すような電子部品本体１７を構成している。この場合、前記第３、第４の引出電極１４ｃ，１４ｄは第１の絶縁シート１３ａの下面に設けているもので、この第３、第４の引出電極１４ｃ，１４ｄおよび前記第１、第２の引出電極１４ａ，１４ｂは、図４（ｂ）に示すように、第１の絶縁シート１３ａおよび第２の絶縁シート１３ｂの短手側の端辺１８に設け、さらに前記２個のバイア電極１１，１２は、配列方向が前記第１の絶縁シート１３ａの短手側の端辺１８と垂直になるように構成している。
【００１７】
また、図１（ａ）において、１９ａ，１９ｂ，１９ｃ，１９ｄは電子部品本体１７の相対向する短手側の両端面に形成された第１、第２、第３、第４の外部電極で、これらは前記第１の絶縁シート１３ａおよび第２の絶縁シート１３ｂの短手側の端辺１８に設けた第１、第２、第３、第４の引出電極１４ａ，１４ｂ，１４ｃ，１４ｄにそれぞれ接続されている。
【００１８】
前記第１、第２の絶縁シート１３ａ，１３ｂは、磁性体、セラミック等により構成された矩形状のシートからなるもので、前記第１の絶縁シート１３ａの中央部には、一定間隔で離間する２個のバイア電極１１，１２が設けられ、また第２の絶縁シート１３ｂには、１個のバイア電極１６が設けられている。
【００１９】
前記第１の内部導体１５ａは、第１の絶縁シート１３ａの上面に設けられるもので、少なくともその一部が２個のバイア電極１１，１２と第１の絶縁シート１３ａの端辺との間のスペースに備えられるように構成している。そしてこの第１の内部導体１５ａの一端部は第１の引出電極１４ａに接続され、かつ他端部は２個のバイア電極１１，１２のうちの他方のバイア電極１２を介して他の引出電極である第３の引出電極１４ｃに接続されている。
【００２０】
前記第２の内部導体１５ｂは、第１の絶縁シート１３ａの下面、すなわち第１の絶縁シート１３ａの上面を第１面としたとき第２面となる第２の絶縁シート１３ｂの上面に設けられるもので、少なくともその一部が１個のバイア電極１６と第２の絶縁シート１３ｂの端辺との間のスペースに備えられるように構成している。そしてこの第２の内部導体１５ｂの一端部は第２の引出電極１４ｂに接続され、かつ他端部は１個のバイア電極１６および２個のバイア電極１１，１２のうちの一方のバイア電極１１を介して第４の引出電極１４ｄに接続されている。さらに、第１、第４の引出電極１４ａ，１４ｄと、第２、第３の引出電極１４ｂ，１４ｃとは、それぞれ第２の絶縁シート１３ｂの互いに対向する短手側の端辺に設けられている。
【００２１】
なお、前記第１、第２の内部導体１５ａ，１５ｂは、印刷、めっき、または蒸着によって形成されるもので、銀、銅等の導電材料からなる。また、図１（ｂ）に示す構成においては、第１、第２の内部導体１５ａ，１５ｂの形状が渦巻き状になっているが、これ以外の螺旋状等の他の形状でも構わないものである。
【００２２】
前記外部電極１９ａ〜１９ｄは、銀を印刷によって塗布することにより形成しているもので、さらにその表面に、ニッケルめっき、すずめっきを順に形成してもよいものである。また、前記第２の絶縁シート１３ｂに設けた１個のバイア電極１６は、パンチング、レーザー照射等によって第２の絶縁シート１３ｂに貫通孔を設け、この貫通孔に銀等の導電材料を埋めることによって形成されている。
【００２３】
ここで、図１（ｂ）に示す構成においては、第１の絶縁シート１３ａの上面に１個の第１の内部導体１５ａを設けるとともに、第２の絶縁シート１３ｂの上面に１個の第２の内部導体１５ｂを設けているが、この内部導体は、図２に示すように、各絶縁シート１３ａ，１３ｂの上面に２個設けてもよいものである。
【００２４】
すなわち、第１の絶縁シート１３ａの上面に第１、第２の内部導体１５ａ，１５ｂを設け、さらに第１の絶縁シート１３ａの下面、すなわち第１の絶縁シート１３ａの上面を第１面としたとき第２面となる第２の絶縁シート１３ｂの上面にも第１、第２の内部導体１５ａ，１５ｂを設けるようにしてもよい。このとき、第１、第２の内部導体１５ａ，１５ｂはともに渦巻き状で、互いに電気的に絶縁されている。そして、第２の絶縁シート１３ｂに２個のバイア電極１１，１２を設けて、第１、第２の絶縁シート１３ａ，１３ｂの一端部と接続し、これにより、第１の内部導体１５ａ同士、第２の内部導体１５ｂ同士を電気的に接続する。
【００２５】
このようにすることで、第１の内部導体１５ａと第２の内部導体１５ｂとの距離を短くできるため、両者に同方向の電流が流れれば、第１、第２の内部導体１５ａ，１５ｂでそれぞれ発生する磁束を互いに強め合うことができるため、コモンモードのインピーダンス値を高くできる。なお、第１、第２の内部導体１５ａ，１５ｂを設けるシートは第１、第２の絶縁シート１３ａ，１３ｂのうちの一方だけにしてもよい。
【００２６】
さらに、図１、図２において、２個のバイア電極１１，１２に内部導体の端部を接続させていたが、２個のバイア電極１１，１２を位置決め等の用途に用いる場合は、必ずしも２個のバイア電極１１，１２と内部導体とを接続させる必要はない。
【００２７】
また、前記２個のバイア電極１１，１２は、第１の絶縁シート１３ａの略中央部に一定間隔で離間するように設けられているもので、この間隔は内部導体の位置や、要望される特性、生産性等によって規定されるものである。従って、２個のバイア電極１１，１２の配置を変更する場合でも、この間隔は常に一定とする必要がある。また、この２個のバイア電極１１，１２は、パンチング、レーザー照射等によって第１の絶縁シート１３ａに貫通孔を設け、この貫通孔に銀等の導電材料を埋めることによって形成されている。
【００２８】
次に、図３を用いて２個のバイア電極１１，１２と第１の絶縁シート１３ａとの関係について説明する。なお、説明を簡単にするために、図３では第１の内部導体１５ａを省略している。
【００２９】
図３において、２個のバイア電極１１，１２は一定間隔Ｗで離間して設けられているもので、その配列方向は第１の絶縁シート１３ａの短手側の端辺１８と垂直になるように構成している。なお、２個のバイア電極１１，１２の配列方向とは、一方のバイア電極１１から他方のバイア電極１２へ向かう方向をいうもので、この２個のバイア電極１１，１２は第１の絶縁シート１３ａの略中央部に設けられており、これにより、２個のバイア電極１１，１２の中点は、第１の絶縁シート１３ａの略中央に位置しているものである。
【００３０】
上記したように本発明の一実施の形態においては、第１、第２、第３、第４の引出電極１４ａ，１４ｂ，１４ｃ，１４ｄを第１の絶縁シート１３ａおよび第２の絶縁シート１３ｂの短手側の端辺１８に設けるとともに、２個のバイア電極１１，１２は、配列方向が前記第１の絶縁シート１３ａの短手側の端辺１８と垂直になるように構成しているため、矩形状の第１の絶縁シート１３ａの短手側の端辺１８と平行になるように２個のバイア電極１１，１２が配列されるものに比べ、２個のバイア電極１１，１２と第１の絶縁シート１３ａの長手側の端辺２０との間の最短距離Ｌ１を長くすることができ、これにより、２個のバイア電極１１，１２と第１の絶縁シート１３ａの長手側の端辺２０との間のスペースに第１の内部導体１５ａを形成しようとしたとき、第１の内部導体１５ａ同士が接触したり、第１の内部導体１５ａが２個のバイア電極１１，１２内や第１の絶縁シート１３ａの外に形成されたりするのを容易に防止することができるため、第１の内部導体１５ａを安定して設けることができるものである。また、第１の絶縁シート１３ａの端辺を基準に２個のバイア電極１１，１２を設ければ、２個のバイア電極１１，１２の形成が容易になるため、生産性も向上させることができるものである。
【００３１】
一方、上記本発明の一実施の形態とは逆に、２個のバイア電極１１，１２の配列方向と第１の絶縁シート１３ａの短手側の端辺１８とが平行になるようにした場合は、第１の絶縁シート１３ａの短手側の端辺１８が元々短いため、２個のバイア電極１１，１２と第１の絶縁シート１３ａの長手側の端辺２０との間の最短距離Ｌ１はさらに短くなり、その結果、第１の内部導体１５ａを設けるスペースが非常に小さくなってしまうため、第１の内部導体１５ａを安定して設けることができない。
【００３２】
これに対し、第１の絶縁シート１３ａの長手側の端辺２０は元々長いため、第１の絶縁シート１３ａの長手側の端辺２０と平行になるように２個のバイア電極１１，１２を配列した場合は、２個のバイア電極１１，１２と第１の絶縁シート１３ａの短手側の端辺１８との間の最短距離Ｌ２の長さをある程度確保できるもので、すなわち、第１の絶縁シート１３ａの端辺１８，２０と２個のバイア電極１１，１２との最短距離Ｌ１，Ｌ２のうち、長い方の距離Ｌ１をさらに長くするより、短い方の距離Ｌ２を長くする方が、第１の内部導体１５ａを設けるスペースを確保する上では非常に有効となるものである。
【００３３】
また、第１の絶縁シート１３ａは矩形状であるため、第１の絶縁シート１３ａの端辺１８または２０を基準に２個のバイア電極１１，１２を設ければ、第１の絶縁シート１３ａの端辺１８，２０と２個のバイア電極１１，１２とは垂直または平行な位置関係となり、これにより、第１の絶縁シート１３ａの端辺１８または２０を基準にして２個のバイア電極１１，１２の位置決めをすれば、２個のバイア電極１１，１２の形成が容易となるため、生産性を向上させることができるものである。
【００３４】
さらにまた、前記矩形状の第１の絶縁シート１３ａに第１の内部導体１５ａを設ける場合、第１の内部導体１５ａは２個のバイア電極１１，１２に接続されるため、２個のバイア電極１１，１２の配置方向が矩形状の第１の絶縁シート１３ａの端辺１８，２０に対して垂直または平行であれば、第１の内部導体１５ａの位置決めがしやすくなり、生産性が向上するものである。
【００３５】
上記のように生産性を考慮して、本発明の一実施の形態のように、２個のバイア電極１１，１２を、その配列方向が第１の引出電極１４ａを設けた第１の絶縁シート１３ａの短手側の端辺１８と垂直になるように構成すれば、一定間隔Ｗで離間して設けられた２個のバイア電極１１，１２と第１の絶縁シート１３ａの長手側の端辺２０との最短距離Ｌ１が最も長くなるため、このスペースに第１の内部導体１５ａを形成しようとしたとき、第１の内部導体１５ａ同士が接触したり、第１の内部導体１５ａが２個のバイア電極１１，１２内や第１の絶縁シート１３ａの外に形成されたりするのを容易に防止することができるため、第１の内部導体１５ａを安定して設けることができるものである。
【００３６】
また、図２に示したように各絶縁シート１３ａ，１３ｂの上面に内部導体を複数設ければ、１枚の絶縁シートに内部導体を１個設ける場合と比べ、バイア電極と絶縁シートの端辺との間のスペースにより多くの内部導体が設けられるため、本発明のような構成にして、２個のバイア電極１１，１２と絶縁シートの長手側の端辺２０との最短距離Ｌ１が最も長くなるようにすることは非常に効果的である。
【００３７】
なお、前記第１の絶縁シート１１ａの形状を正方形にした場合は、２個のバイア電極１１，１２の中点を第１の絶縁シート１３ａの中心点と略一致させれば、第１の内部導体１５ａを設けるスペースが最大となるもので、このように、２個のバイア電極１１，１２と第１の絶縁シート１３ａの端辺との間のスペースが広くなれば、より多くの内部導体をこのスペースに設けることができるため、内部導体の巻き数を増やすことができ、これにより、内部導体の直流抵抗値を高くしたり、インダクタンス値を高くできるものである。
【００３８】
上記のように生産性を考慮する必要がない場合や、第１の絶縁シート１３ａの形状が矩形状でなく正方形や他の形状の場合は、２個のバイア電極１１，１２と第１の絶縁シート１３ａの端辺との間の最短距離が最も長くなるように、２個のバイア電極１１，１２の位置を変えてやれば、第１の内部導体１５ａを設けるスペースが最大となるものである。何故なら、第１の絶縁シート１３ａの端辺と２個のバイア電極１１，１２との間の最短距離のうち、長い方の距離をさらに長くするより、短い方の距離を長くする方が、第１の内部導体１５ａを設けるスペースを確保するうえでは有効であるからである。なお、この場合、第１、第２の絶縁シート１３ａ，１３ｂに形成される第１〜第４の引出電極１４ａ〜１４ｄの形成位置がどこであっても同じ効果が得られるものである。
【００３９】
また、矩形状の第１の絶縁シート１３ａの短手側の端辺１８と２個のバイア電極１１，１２の配列方向とを垂直にすることが困難な場合は、２個のバイア電極１１，１２を第１の絶縁シート１３ａの対角線上に配置すればよい。この構成においては、２個のバイア電極１１，１２間の距離を一定とすると、２個のバイア電極１１，１２とその近傍に位置する第１の絶縁シート１３ａの角部との間の距離を、他の配置に比べて最も長くできるため、２個のバイア電極１１，１２と第１の絶縁シート１３ａの角部との間の距離の直角成分、つまり２個のバイア電極１１，１２と第１の絶縁シート１３ａの端辺１８，２０との間の距離は最も長くなり、これにより、２個のバイア電極１１，１２と第１の絶縁シート１３ａの端辺１８，２０との間のスペースに第１の内部電極１５ａを形成しようとしたとき、第１の内部導体１５ａ同士が接触したり、第１の内部導体１５ａが２個のバイア電極１１，１２内や第１の絶縁シート１３ａの外に形成されたりするのを容易に防止できるため、第１の内部導体１５ａを安定して設けることができるという効果が得られる。また、この構成においては、第１、第２の絶縁シート１３ａ，１３ｂに形成される第１〜第４の引出電極１４ａ〜１４ｄの形成位置がどこであっても、あるいは第１の絶縁シート１３ａが正方形でも上記と同様の効果が得られるものである。
【００４０】
【発明の効果】
以上のように本発明によれば、第１、第２、第３、第４の引出電極を矩形状の第１の絶縁シートおよび第２の絶縁シートの短手側の端辺に設けるとともに、２個のバイア電極は、配列方向が前記第１の絶縁シートの短手側の端辺と垂直になるように構成しているため、矩形状の第１の絶縁シートの短手側の端辺と平行になるように２個のバイア電極が配列されるものに比べ、２個のバイア電極と第１の絶縁シートの長手側の端辺との間の最短距離を長くすることができ、これにより、２個のバイア電極と第１の絶縁シートの長手側の端辺との間のスペースに第１の内部導体を形成しようとしたとき、第１の内部導体同士が接触したり、第１の内部導体が２個のバイア電極内や第１の絶縁シートの外に形成されたりするのを容易に防止することができるため、第１の内部導体を安定して設けることができるという優れた効果を奏するものである。
【図面の簡単な説明】
【図１】（ａ）本発明の一実施の形態における電子部品の斜視図
（ｂ）同分解斜視図
【図２】同他の例を示す分解斜視図
【図３】同要部上面図
【図４】（ａ）従来の電子部品の斜視図
（ｂ）同分解斜視図
【図５】同要部上面図
【符号の説明】
１１，１２  ２個のバイア電極
１３ａ  第１の絶縁シート
１３ｂ  第２の絶縁シート
１４ａ  第１の引出電極
１４ｂ  第２の引出電極
１４ｃ  第３の引出電極
１４ｄ  第４の引出電極
１５ａ  第１の内部導体
１５ｂ  第２の内部導体
１６  １個のバイア電極
１８  短手側の端辺
２０  長手側の端辺
【図１】
2004235401.tif 000003
【図２】
2004235401.tif 000004
【図３】
2004235401.tif 000005
【図４】
2004235401.tif 000006
【図５】
2004235401.tif 000007